【事件の表示】
　上記当事者間の特許第３１１４８６８号発明「止め具及び紐止め装置」の特許無効審判事件について、次のとおり審決する。
【結　論】
　本件審判の請求は、成り立たない。
　審判費用は、請求人の負担とする。
【理　由】
１．手続の経緯
　特許第３１１４８６８号の請求項１乃至８に係る発明についての出願は、平成１０年８月１０日に出願した特願平１０−２２６３５５号の一部を平成１１年７月６日に新たな特許出願としたものであって、平成１２年９月２９日にその特許権の設定登録がなされ、その後、平成１３年７月２日に株式会社並木製作所より請求項１乃至８に係る発明について特許無効の審判が請求され、これに対して、被請求人より答弁書（平成１３年１０月１２日付けでした手続補正により補正）及び２回にわたる上申書の提出があり、平成１３年１１月３０日に特許庁において口頭審理が行われたものである。
　
２．本件発明
　本件の請求項１乃至８に係る発明（以下、「本件発明１」乃至「本件発明８」という。）は、願書に添付した明細書の特許請求の範囲の請求項１乃至８に記載された次のとおりのものである。
「【請求項１】 外殻体と、弾性体とを含む止め具であって、前記外殻体は、孔と、中空部とを有し、前記中空部の内壁面が球面状の連続体であり、前記孔は、前記外殻体の外部から前記中空部へ通じており、前記弾性体は、通孔部を有するＯリング状部材であって、前記中空部の内部に内蔵され、その外周が前記中空部の前記内壁面に圧接しており、前記通孔部は、前記孔に通じており、前記弾性体は、前記外殻体の前記孔を通って、前記外殻体の内部に導入される止め具。
【請求項２】 請求項１に記載された止め具であって、前記Ｏリング状部材でなる弾性体は、前記外殻体の内部に導入する前、その外径が前記外殻体の前記中空部の内径よりも大きい止め具。
【請求項３】 請求項１または２の何れかに記載された止め具であって、前記弾性体は、前記外殻体の前記孔を通して、前記中空部内に導入可能である止め具。
【請求項４】 請求項１乃至３の何れかに記載された止め具であって、前記弾性体は、複数個であり、それぞれは、前記中空部内で積層されている止め具。
【請求項５】 請求項１乃至４の何れかに記載された止め具であって、前記外殻体は、前記孔が２個であり、前記孔のそれぞれは互いに対向する位置に備えられている止め具。
【請求項６】 請求項１乃至５の何れかに記載された止め具であって、前記弾性体は、前記通孔部の内径が前記外殻体の前記孔の直径より小さい止め具。
【請求項７】 止め具と、紐部材とを含む紐止め装置であって、前記止め具は、請求項１乃至６の何れかに記載されたものであり、前記紐部材は、前記止め具の前記外殻体を貫通し、前記弾性体によって弾性的に保持される紐止め装置。
【請求項８】 請求項７に記載された紐止め装置であって、装飾品として用いられる紐止め装置。」
　
３．無効審判請求の理由の概要
　請求人は、証拠方法として下記の甲第１号証乃至甲第６号証を提出すると共に、下記の参考資料１及び２を提出し、本件発明１乃至８は、いずれも、甲第１号証乃至甲第６号証に記載された発明に基いて当業者が容易に発明をすることができたものであり、特許法第２９条第２項の規定により特許を受けることができないものであるから、特許法第１２３条第１項第２号の規定により、本件発明１乃至８の特許は無効とされるべきものである旨主張している。
　さらに、上記口頭審理において、請求人は、本件発明１乃至８と対比すべき主たる証拠方法は甲第２号証である旨主張している。（口頭審理調書参照）
　甲第１号証：実公平４−３７４５７号公報
　甲第２号証：実用新案登録第３０４２０７１号公報
　甲第３号証：特開昭５７−５５１０２号公報
　甲第４号証：実願昭５７−１９１４４５号（実開昭５９−９７６０６号）のマイクロフィルム
　甲第５号証：実公昭６１−２４０８７号公報
　甲第６号証：特公平４−２５８０１号公報
　参考資料１：実用新案登録第３０４１８３６号公報
　参考資料２：東京地方裁判所平成１２年（ワ）第２７７１４号事件において請求人が提出した平成１３年１０月５日付け準備書面（３）
　
４．被請求人の主張
　被請求人は、本件発明１乃至８は、上記甲第１号証乃至甲第６号証に記載された発明に基いて当業者が容易に発明をすることができないものである旨主張している。
　
５．甲各号証に記載された事項
　甲第１号証には、「装飾用飾玉」について図面と共に下記の事項が記載されている。
「軸心上に２つの貫通孔を設けた鎖玉の中空体内に樹脂材を充填して、この樹脂材に、前記貫通孔の軸心と一致する糸通し孔を貫設し、糸通し孔の縁が貫通孔の縁内に入り込み、前記貫通孔の縁に対する隔離縁を形成したことを特徴とする装飾用鎖玉。」（実用新案登録請求の範囲）
「この考案は金属素材板から形成されて中空体１が基体となる鎖玉Ａは、次のように構成されている。すなわち第１図から第３図までに示すように、金や銀等による０．１〜０．２mm厚の素材板をあらかじめ球状に形成して、その中心帯に幾分大径の貫通孔３が設けられた中空体１の内部には、この中空体１の球径を超えない状態をもって、貫通孔３の孔縁を埋める位置まで樹脂材５が注射器あるいは空気利用ディスペンサーにより充填される。」（第２頁第３欄６〜１４行）
「この考案の鎖玉は、中空体を支持するため糸通し孔が、この中空体の素材に対する貫通孔ではなく、充填材に貫通する孔を用いることで糸切れや糸の汚れを確実に防止できる」（第２頁第４欄２８〜３１行）
　
　甲第２号証には、「装飾用鎖の留め具」について、図面と共に下記の事項が記載されている。
「【請求項１】装身用鎖を挿通して留める留め具であって、球状その他の形状をしていて、装身用鎖を挿通する貫通孔を有しており、しかも内部には、装身用鎖が脱けるのを防止する弾性部材が入っていることを特徴とする装身用鎖の留め具。
【請求項３】前記の弾性部材が、ゴム様体ないしは合成樹脂製のスポンジ様体であることを特徴とする請求項１記載の装身用鎖の留め具。
【請求項４】前記の貫通孔に装身用鎖が挿通され、前記の弾性部材で保持されていることを特徴とする請求項１、請求項２または請求項３に記載の装身用鎖の留め具。」（実用新案登録請求の範囲　請求項１、３及び４）
「本考案は、ネックレスやブレスレットなどのような装身用鎖の留め具に関する。」（【０００１】段落）
「本考案の技術的課題は次のような手段によって解決される。請求項１は、装身用鎖を挿通して留める留め具であって、球状その他の形状をしていて、装身用鎖を挿通する貫通孔を有しており、しかも内部には、装身用鎖が脱けるのを防止する弾性部材が入っている。」（【０００５】段落）
「このように、装身用鎖を挿通する貫通孔が開いており、また挿通された装身用鎖を保持し、抜けるのを防止する弾性部材が内蔵されているので、装身用鎖を挿通すると、その位置に装身用鎖と留め具とが固定される。したがって、装身用鎖に対して留め具を任意の位置に固定して、留め具によって変化を持たせた使い方ができる。」（【０００６】段落）
「また、前記の留め具と装身用鎖とを固定する手段として、弾性部材の弾力を利用し、装身用鎖に対して留め具が自由にスライドして位置変更できる構造になっているので、装身用鎖を身体に装着したり取り外したりする際に、留め具を容易に移動でき、また使い方を変えたい場合にも、容易に移動できる。」（【０００７】段落）
「請求項３は、請求項１記載の弾性部材が、ゴム様体ないしは合成樹脂製のスポンジ様体である装身用鎖の留め具である。このように、弾性部材として、ゴム様体ないしは合成樹脂製のスポンジ様体を用いることもできる。このようなゴム様体ないしはスポンジ様体は、装身用鎖に対し相対的に摺動しても、装身用鎖に傷が付いたりすることがないので、安心して使用できる。しかも、構造も簡単になる。」（【０００９】段落）
「請求項４は、請求項１、請求項２または請求項３に記載の貫通孔に装身用鎖が挿通され、前記の弾性部材で保持されている装身用鎖の留め具である。請求項１から請求項３は、留め具のみに関する考案であるが、この請求項は、装身用鎖の貫通孔に装身用鎖を挿通した状態の考案である。このように、留め具に装身用鎖を挿通して弾性部材で保持した状態では、装身用鎖に対して留め具を自由にスライドさせ、任意の位置に固定して使用できるので、従来の装身用鎖とは違って、変化に富んだいろいろな使い方ができる。」（【００１０】段落）
「１は本考案による装身用鎖の留め具であり、図示例では球状をしているが、外面が多面体のものや、卵状やダルマ状など、任意の形状が可能であり、装身用鎖を挿通できる形態のものであればよい。」（【００１３】段落）
「装身用鎖２は、ネックレスやブレスレットなどを構成する鎖であり、両端に装飾部材５ａ、５ｂが取り付けてある。この装身用鎖２を、留め具１に挿通するため、留め具１には、貫通孔が開いている。すなわち、装身用鎖２を挿入する側の孔３ａと、装身用鎖２が貫通して出る側の孔３ｂを有している。」（【００１４】段落）
「この図においては、留め具１の内部は空洞になっており、その中に、弾性部材として板バネ４が内蔵されている。」（【００１５】段落）
「図２（２）は、留め具１を構成する球体の断面図であり、中央に挿入孔３ａの空いた半球部１ａと、中央に挿出孔３ｂの空いた半球部１ｂとからなり、両半球体１ａと１ｂとを突き合わせて、接合部１ｃをロウ付けして一体に結合することで、球状に完成する。」（【００１６】段落）
「図４はゴム様体を用いた実施形態であり、（１）はゴム様弾性部材６の斜視図、（２）はこのゴム様弾性部材６を半球体１ａと１ｂ内に内蔵した状態の断面図である。」（【００２６】段落）
「６はゴム様体からなる弾性部材であり、図示例は立方体状をしており、しかも中空状にして、全体に四角筒状に形成されている。そして、互いに対向する壁部の中央に、装身用鎖２を挿通するための孔６ａ、６ｂが開けてある。この孔６ａ、６ｂは、装身用鎖２の太さより小さいことが必要であり、スリットや切り目などでもよい。これに対し、半球体１ａ、１ｂの貫通孔３ａ、３ｂは、装身用鎖２の太さより大きい。」（【００２７】段落）
「このゴム様体の弾性部材６を半球部１ｂ中に内蔵し、その中央孔３ｂとゴム様弾性部材６の下孔６ｂとが丁度重なる状態で、弾性部材６を半球部１ｂ中に接着剤などで固定する。そして、上側の半球部１ａを被せて、接合部１ｃをロウ付けなどで結合すると、弾性部材６の上側の孔６ａが上側の半球部１ａの中央孔３ａと丁度一致する。」（【００２８】段落）
「この留め具１の孔３ａ、６ａ、６ｂ、３ｂに装身用鎖２を挿通すると、ゴム様弾性部材の孔６ａ、６ｂには、その弾力に抗して挿通されるため、弾力によって留め具１とゴム様弾性部材６とが固定される。」（【００２９】段落）
「図５は、弾性部材として、合成樹脂製のスポンジ様体を用いた実施形態であり、（１）に示すようなサイコロ状のスポンジ様体７を、（２）図のように半球部１ｂ中に内蔵して接着固定した後、上側の半球部１ａを被せて一体に接合した構成になっている。」（【００３０】段落）
「スポンジ様体７の場合は、装身用鎖２を挿通するための孔は容易に開けられるので、留め具が完成した後に、貫通孔３ａ、３ｂから千枚通しなどのような細長い器具を挿通すると、後からでも孔７を開けられる。そして、貫通孔３ａ、スポンジ様体７の貫通孔７ａ、貫通孔３ｂの順に、図１の装身用鎖２を挿通すると、スポンジ様体７の弾力によって、留め具１と装身用鎖２とが固定される。」（【００３１】段落）
　さらに、 図面の【図１】には、装身用鎖の留め具の全容が、【図２】の（２）には、留め具を構成する球体の断面図が、【図４】には、弾性部材としてゴム様体を用いた実施形態が、【図５】には、弾性部材として合成樹脂製のスポンジ様体を用いた実施形態が、それぞれ記載されている。
　そして、これら図面の記載から、半球部１ａと１ｂとを突き合わせて一体に接合したものの内壁面は、接合部１ｃを有するものの全体として球面状であることが窺える。
　
　甲第３号証には、「留めがね」について図面と共に下記の事項が記載されている。
「第２図に示すように、留めがね部品１３は剛性の、・・・材料からなるハウジングによって構成される。ハウジング１４ａは管状、例えば円筒状の形状を有し、一端部１４ｂは閉じられまた他端１４ｃは開放されている。」（第３頁右上欄８〜１３行）
「可撓性材料からなるホールダ１８が、ハウジング１４ａ内に配置されかつ該ホールダに支持されている。ホールダ１８もまた管状であり、管状のハウジング１４ａの壁内にあって該壁に対して配置されている。このホールダ１８は横方向のウエブ１８ａを含み、この横方向ウエブにはこれを貫く孔１８ｂが形成されている。」（第３頁右上欄１８行〜同頁左下欄４行）
「ハウジングの開放端はハウジング１４ａ内にホールダ１８を保持するために符号１４ｅ（第２，３図参照）で示される箇所にすえ込みが施されている。ハウジング１４ａおよびホールダ１８は、共に第１の留めがね部品１３を構成する。」（第３頁左下欄１０〜１４行）
「ホールダ１８は、たとえばショアーＡ硬度計で５０ないし７５の高強度シリコンゴムによって構成することが有利である。」（第３頁右下欄１５〜１７行）
「第９図に示した変形例に係る留めがねはホールダ１８’がそのシャフト１６’のわずかな変更によって変形されている他は、第２図に示したと同様である。特に、ホールダ１８’およびハウジング１４ａ’は、ハウジング１４ａ’の内壁部分２４とホールダ１８’の外面２６との間にわずかな空間２２が存するように寸法付けられている。」（第４頁左下欄１０〜１６行）
「第９図のホールダ１８’はハウジング１４ａ’とその両端でのみ接触する。この特徴は、空間２２と共に前記した撓曲作用を可能にするものである。」（第５頁左上欄８〜１０行）
「また、ウエブ１８ａ（１８ａ’）は単純な円盤形状としてもよい。」（第５頁左上欄１４，１５行）
　
　甲第４号証には、「装身具」について、図面と共に下記の事項が記載されている。
「鎖１の両端部にそれぞれ保持管２を任意の位置に留まることができるように摺動自在に外嵌めする。保持管２は鎖１上を滑らずに任意の位置に留まるように鎖１と接触する内部にゴム管２ａを配置しゴム管２ａを金属被覆２ｂで覆う。」（マイクロフィルム　第２頁６〜１０行）
「ゴム管２ａを覆う金属被覆２ｂは必ずしも金属でなければならないものでなく合成樹脂やその他の材質のものであってもよいが、装飾しやすく鎖１の端を固着し得る強度を有するものであればよい。」（マイクロフィルム　第２頁１２〜１６行）
　
　甲第５号証には、「装身具」について図面と共に下記の事項が記載されている。
「小玉の中心に小径孔を貫通せしめたのち同小径孔を其の他端に近い箇所まで一端より大径孔として抉って同他端に内向きフランジを形成すると共に当該大径孔の中に同大径孔より僅かに短いゴムなどの弾性材料製の管を押入して其の内径孔を上記の小径孔と同心軸とし、然るのち大径孔の開口縁を求心方向に圧絞して同縁を内向きフランジ状とすることによって小径の飾玉の多数個を構成し、これ等小径飾玉に於ける管の内径孔に同内径孔より僅かに太い化粧鎖を強制移動可能に挿通して成る装身具。」（実用新案登録請求の範囲）
「尚、図示せる実施例は金属小玉１の中心に小径孔２を貫通せしめたのち同小径孔２の其の他端に近い箇所まで一端より大径孔３として抉って同他端に内向きフランジ４を形成すると共に当該大径孔３の中に同大径孔３より僅かに短いゴム管５を押入して其の内径孔６を上記の小径孔２と同心軸とし、然るのち大径孔３の開口縁７を求心方向に圧絞して同縁７を内向フランジ状とすることによって小径の飾玉イの多数個を構成し、これ等小径飾玉イに於けるゴム管５の内径孔６に同内径孔６より僅かに太い化粧鎖８を人為により移動可能に挿通すると共に・・・大径飾玉ロを自然に摺動する状態として貫き通したものである。」（第１頁第１欄２７行〜同頁第２欄１３行）
「小径飾玉は強制移動した位置に停止した状態を維持するものであって、即ち小径飾玉の位置を嗜好に応じて変化せしめて着用を楽しむことができ」（第１頁第２欄１６〜１９行）ること。
　さらに、第３図には、小径飾玉の製造工程を順に示す説明図が示されている。
　
　甲第６号証には、「連珠宝飾品及びその作製方法」について図面と共に下記の事項が記載されている。
「球面を有する多数の宝石類に、前記球面にほぼ直交する透孔を穿ち、該多数の宝石類の透孔に連通糸を挿通して連装した連珠宝飾品において、前記連珠宝飾品の適宜箇所の前記宝石類の間に宝石類の球面半径をｒとして、厚さ寸法が０．４ｒ以下で径寸法が０．７７ｒ以下の弾性素材で構成された少なくとも１つのＯリング形状の駒が介装されて」（特許請求の範囲　請求項１　前段）いること。
「連装した宝石類の間の適宜箇所に、宝石類の球面半径をｒとして厚さ寸法が０．４ｒ以下で径寸法が０．７７ｒ以下の弾性素材からなる少なくとも１つのＯリング形状の駒を介装したので、連装した宝石類と宝石類の間に結び目を作り、宝石類を１個ずつ固定しなければならない従来のものに対し誰でも簡単に迅速に宝石類を連装し固定することができ、作業性が格段に向上した。」（第４頁第８欄２７〜３５行）
　
６．対比、判断
ア）本件発明１について
　本件発明１（前者）と口頭審理において請求人が主たる証拠方法であると主張した甲第２号証に記載されたもの（後者）を対比すると、後者の「半球部１ａ、１ｂを突き合わせて一体に接合したもの」、「弾性部材としてのゴム様体６ないしは合成樹脂製のスポンジ様体７」、「貫通孔３ａ、３ｂ」、「装身用鎖２を挿通するための孔６ａ、６ｂ及び貫通孔７ａ」は、その機能に照らし、各々、本件発明１における「外殻体」、「弾性体」、「外殻体に有する孔」、「弾性体に有する通孔部」に相当する。さらに、半球体の１ａ、１ｂの貫通孔３ａ，３ｂは、半球部１ａと１ｂとを突き合わせて一体に接合したものの外部から内部へ通じており、さらに装身用鎖２を挿通するための孔６ａ，６ｂ又は貫通孔７ａに通じていることは、上記甲第２号証の記載から明らかである。そして、甲第２号証に記載の「留め具」は「止め具」ともいえるものであるから、両者は、
　外殻体と、弾性体とを含む止め具であって、前記外殻体は、孔と、中空部とを有し、前記中空部の内壁面が球面状であり、前記孔は、前記外殻体の外部から前記中空部へ通じており、前記弾性体は、通孔部を有するものであって、前記中空部の内部に内蔵され、前記通孔部は、前記孔に通じている止め具。
で一致し、
Ａ．前者は、外殻体の中空部の内壁面が球面状の連続体であるのに対して、後者は、外殻体の中空部の内壁面が、球面状ではあるが、接合部を有するものであり球面状の連続体といえるか、明確でない点。
Ｂ．前者は、弾性体が、Ｏリング状部材であるのに対し、後者は、弾性体が、四角筒状又はサイコロ状である点。
Ｃ．前者は、弾性体の外周が中空部の球面状の内壁面に圧接しているのに対し、後者は、弾性体は外殻体の中空部の球面状の内壁面に接着剤などで固定されており、その外周が中空部の球面状の内壁面に圧接してはいない点。
Ｄ．前者は、弾性体が、外殻体の孔を通って、外殻体の内部に導入されるものであるのに対し、後者は、かかるものではない点。
で相違する。
　
　そこで、まず、相違点Ａについて検討する。
　本件の願書に添付された明細書及び図面の記載を検討すると、外殻体の内壁面については【００１１】段落に、「実施例では、外殻体１０は球体状である。従って、外殻体１０は、中空部１３の内面が球面状の連続体となっている。」と記載されているだけであり、また外殻体についても同じく【００１１】段落に「外殻体１０は金属、合金、プラスチック、セラミック等の各種の材料を用いて形成することができる。」と記載されているだけで、その製造方法について具体的記載はない。してみると、本件の願書に添付された明細書及び図面の記載からは、本件発明１における「球面状の連続体」は接合部を有さないものに限るとする根拠を見いだすことはできない。そして、一般に、「面が連続体である」ことは、一つの部材から接合部を形成しない方法で製造したものの面の他に、一つの部材の両端部を接合して製造したもの又は複数の部材を接合して製造したものの接合部を有する面をも含むものと認められる。これらのことからみて、本件発明１における外殻体の中空部の内壁面は、複数の部材を突き合わせて形成された接合部を有するものも含むものと解される。
　してみると、甲第２号証に記載のものの、外殻体の中空部の内壁面は、接合部を有するものではあるが、球面状の連続体であると認められる。
　よって、相違点Ａは、実質的な相違点を構成しない。
　
　次に、相違点Ｂについて検討する。
　本件の願書に添付された明細書及び図面の記載を検討しても、Ｏリング状部材について格別な定義はなく、本件発明１におけるＯリング状部材とは、機械部品として一般に用いられるＯリング様の形状を有する部材、即ち、「ほぼ円盤状のものであって、真ん中に紐を通せる孔があいているもの」（口頭審理調書参照）をいうものと認められる。よって、甲第４号証に記載されたゴム管２ａ、甲第５号証に記載された弾性材料性の管であるゴム管５は、本件発明１におけるＯリング状部材といえるものではない（口頭審理調書参照）。
　したがって、甲第１号証及び甲第３号証乃至甲第６号証のいずれにも、外殻体の内部に内蔵される弾性体としてＯリング状部材を用いることは記載されておらず、かかる事項を示唆する記載もない。
　なお、甲第６号証には、弾性素材で構成されたＯリング状の部材を用いることは記載されているものの、この部材は宝石類の間に介装される駒であって、止め具の外殻体の内部に内蔵されるものではない。
　
　さらに、相違点Ｃについて検討すると、
　甲第１号証及び甲第３号証乃至甲第６号証のいずれにも、弾性体の外周が中空部の球面状の内壁面に圧接することは記載されておらず、かかる事項を示唆する記載もない。
　なお、甲第５号証には、弾性材料製の管を小玉の大径孔に押入することが記載されている。そして、この「小玉の大径孔」は、本件発明１における「中空部」に相当するものであり、この「弾性材料性の管」は、管内に挿通された化粧鎖の任意の位置で小玉を止める機能を有することからみて、本件発明１における「弾性体」に相当すると認められるから、甲第５号証には、弾性体の外周が中空部の内壁面に圧接していることが記載されているといえる。しかし、この甲第５号証のものは、中空部の内壁面が球面状ではない。
　
　最後に、相違点Ｄについて検討すると、
　甲第１号証及び甲第３号証乃至甲第６号証のいずれにも、弾性体を外殻体の孔を通って外殻体の内部に導入することは記載されておらず、かかる事項を示唆する記載もない。
　なお、甲第１号証には、軸心上に２つの貫通孔を設けた鎖玉の中空体内に注射器あるいは空気利用ディスペンサーにより樹脂材を充填することが記載されている。しかし、充填される樹脂材が弾性材であるという記載はなく、しかも樹脂材は不定形の状態で充填されるものであり、所定の形状を備えた部材として中空体内に導入されるものではない。
　また、甲第３号証には、円筒状のハウジングに弾性体で構成されるホールダを配置したものが記載されているが、ハウジングに形成されるすえ込み（第２図及び第３図）乃至第９図に示されるハウジング開放端の曲げ部が、ハウジングへのホールダ配置前に形成されたものか配置後に形成されたものか記載がないため、甲第３号証には、弾性体で構成されるホールダをハウジングの孔を通ってハウジングの内部に導入することが記載されているとはいえない。
　さらに、甲第５号証のものも、弾性材料製の管を小玉の大径孔に押入後、大径孔の開口縁を内向きフランジ状としたものであるから、大径孔の開口縁を内向きフランジとしたことにより形成された孔を通って弾性材料製の管を小玉の大径孔に導入したものとはいえない。
　
　そして、本件発明１は、相違点Ｂ、Ｃ、Ｄで挙げた本件発明１の構成要件を共に備えることを特徴とするものであるところ、相違点Ｂ、Ｃ、Ｄについては上記のとおりであるから、甲第１号証乃至甲第６号証から、相違点Ｂ、Ｃ、Ｄで挙げた本件発明１の構成要件を共に備えることを想到することが当業者にとって容易であるとはいえない。
　
　したがって、本件発明１は、甲第１号証乃至甲第６号証に記載された発明に基いて当業者が容易に発明をすることができたものであるとはいえない。
  
イ）本件発明２乃至本件発明６について
　本件発明２は、本件発明１に「前記Ｏリング状部材でなる弾性体は、前記外殻体の内部に導入する前、その外径が前記外殻体の前記中空部の内径よりも大きい」なる事項を付加したものである。
　また、本件発明３は、本件発明１または２に「前記弾性体は、前記外殻体の前記孔を通して、前記中空部内に導入可能である」なる事項を付加したものである。
　本件発明４は、本件発明１乃至３の何れかに「前記弾性体は、複数個であり、それぞれは、前記中空部内で積層されている」なる事項を付加したものである。
　本件発明５は、本件発明１乃至４の何れかに「前記外殻体は、前記孔が２個であり、前記孔のそれぞれは互いに対向する位置に備えられている」なる事項を付加したものである。
　本件発明６は、本件発明１乃至５の何れかに「前記弾性体は、前記通孔部の内径が前記外殻体の前記孔の直径より小さい」なる事項を付加したものである。
　しかしながら、本件発明１については上記ア）の項で述べたとおりである。
　よって、本件発明２乃至６において付加した事項の各々について検討するまでもなく、本件発明２乃至６は、いずれも、本件発明１について上記ア）で述べた理由と同じ理由により、甲第１号証乃至甲第６号証に記載された発明に基いて当業者が容易に発明をすることができたものであるとはいえない。
　
ウ）本件発明７について
　甲第２号証には、留め具と装身用鎖を含むものであって、装身用鎖は、留め具の半球部１ａと１ｂとを突き合わせて一体に接合したものを貫通し、内蔵された弾性部材により弾性的に保持されるものが記載されている。
　甲第２号証に記載された上記のものは「紐止め装置」といえるものであり、その「留め具」、「装身用鎖」、「半球部１ａと１ｂとを突き合わせて一体に接合したものの」、「弾性部材」は、各々、本件発明７における「止め具」、「紐部材」、「外殻体」、「弾性体」に相当するものである。
　そして、本件発明７において「止め具」は本件発明１乃至６のいずれかのものである。
　しかしながら、本件発明１及び本件発明２乃至６については上記ア）及びイ）の項で述べたとおりである。
　したがって、本件発明７は、本件発明１について上記ア）の項で述べた理由と同じ理由により、甲第１号証乃至甲第６号証に記載された発明に基いて当業者が容易に発明をすることができたものであるとはいえない。
　
エ）本件発明８について
　本件発明８は、本件発明７に「装飾品として用いられる」なる事項を付加したものである。
　しかしながら、本件発明７については上記ウ）の項で述べたとおりである。
　よって、本件発明８において付加した事項について検討するまでもなく、本件発明８は、本件発明７について上記ウ）の項で述べた理由と同じ理由により、甲第１号証乃至甲第６号証に記載された発明に基いて当業者が容易に発明をすることができたものであるとはいえない。
　
７．むすび
　以上のとおりであるから、請求人の主張及び証拠方法によっては本件発明１乃至８に係る特許を無効とすることはできない。
　審判に関する費用については、特許法第１６９条第２項の規定で準用する民事訴訟法第６１条の規定により、請求人が負担すべきものとする。
　よって、結論のとおり審決する。